(57)【特許請求の範囲】
【請求項１】
本体ケーシング（３０）内の上方部（３０Ｕ）に配置される内部断熱材（４０）と、前記本体ケーシング（３０）内の下方部（３０Ｄ）に配置されるドレンパン（５０）とを有する空気調和機（１）において、
前記内部断熱材（４０）の下端部には、前記本体ケーシング（３０）内の下方部（３０Ｄ）の一部に配置されるとともに水平方向において前記ドレンパン（５０）の側面（５２，５３）に対向する延長壁（４５，４６）が形成され、
前記ドレンパン（５０）には、前記水平方向において前記延長壁（４５，４６）に嵌め合わせられる側壁（５４，５６）が形成され、
前記内部断熱材（４０）及び前記ドレンパン（５０）は、水平方向に延びて互いに接合される水平接合面（４３Ａ，４４Ａ，５０Ａ）を有し、前記内部断熱材（４０）の前記水平接合面（４３Ａ，４４Ａ）と、前記ドレンパン（５０）の前記水平接合面（５０Ａ）とが接合されることにより、前記延長壁（４５，４６）と前記ドレンパン（５０）との間に通風路（１０Ａ，１０Ｂ）が形成され、
前記内部断熱材（４０）の前記延長壁（４５，４６）及び前記ドレンパン（５０）の前記側壁（５４，５６）は、前記水平方向に垂直な上下方向に延びて互いに接合される縦接合面（４５Ａ，４６Ａ，５４Ａ，５６Ａ）を有し、前記縦接合面（４５Ａ，４６Ａ，５４Ａ，５６Ａ）は、それぞれ前記上下方向に対して傾斜するテーパ面により形成される
ことを特徴とする空気調和機。
【請求項２】
請求項１に記載の空気調和機において、
前記延長壁（４５，４６）の前記縦接合面（４５Ａ，４６Ａ）は、前記延長壁（４５，４６）の壁厚み方向において部分的に形成されている
ことを特徴とする空気調和機。
【請求項３】
請求項１または２に記載の空気調和機において、
前記ドレンパン（５０）の前記側壁（５４，５６）は、前記通風路（１０Ａ，１０Ｂ）を形成する通風路形成壁として構成され、
前記側壁（５４，５６）の前記縦接合面（５４Ａ，５６Ａ）は、前記側壁（５４，５６）の壁厚み方向において部分的に形成されている
ことを特徴とする空気調和機。
【発明の詳細な説明】
【技術分野】
【０００１】
本願発明は、空気調和機に関し、特に、空気調和機における本体ケーシングの内面の断熱構造に関する。
【背景技術】
【０００２】
一般に、例えば天井埋込型空気調和機は、天井材に設けられた据付用の開口部を挟んで上方の天井裏に製品本体が取り付けられ、天井材の開口部を覆うように下方から化粧パネルが取り付けられる。また、製品本体の本体ケーシング内には、送風機を囲むように熱交換器が設けられている。そして、本体ケーシングにおける内面の断熱は、この内面に設けられる内部断熱材により行われているものがあるが、熱交換器の下方に設けられるドレンパンを、本体ケーシングの下方部に配置したものもある。このような空気調和機では、内部断熱材が本体ケーシングの上方部に配置されるとともに、ドレンパンが本体ケーシングの下方部に配置され、上下方向において内部断熱材とドレンパンとが互いに接合される。なお、本明細書において、上下方向及び水平方向をいうときは、空気調和機が据え付けられた状態における方向をいうものとする。
【０００３】
内部断熱材とドレンパンとが本体ケーシングの内面に配置される構造に関して、従来は二通りの構造が使用されていた。
一つは、図１０に示されるような構造である。このような構造は、例えば特許文献１に記載されている。この構造においては、ドレンパン１５０に吹出通風路１１０Ａが形成され、吹出通風路１１０Ａの外側に形成されるドレンパン１５０の側壁１５１が、本体ケーシング１３０の下方部内面１３０Ａに配置される。そして、内部断熱材１４０とドレンパン１５０とは、水平方向に延びて互いに接合される水平接合面１４１，１５２で接合される。
【０００４】
他の構造は、図１１に示されるような構造である。このような構造は、例えば特許文献２に示唆されている。この構造においては、内部断熱材２４０が、水平方向においてドレンパン２５０の側面２５１に対向するように部分的に下方へ延長されることにより、内部断熱材２４０が、ドレンパン２５０の側面２５１に対向する延長壁２４１を有している。そして、延長壁２４１とドレンパン２５０との間に吹出通風路が形成され、延長壁２４１は、本体ケーシング２３０の下方部内面２３０Ａに部分的に配置される。このような構造においては、内部断熱材２４０とドレンパン２５０とは、水平方向に延びて互いに接合される水平接合面の他に、水平方向に垂直な上下方向に延びて互いに接合される縦接合面２４２，２５２で接合されることになる。
【先行技術文献】
【特許文献】
【０００５】
【特許文献１】特開２００８−５７８４０号公報
【特許文献２】特開２００７−３０３７８８号公報
【発明の概要】
【発明が解決しようとする課題】
【０００６】
上記従来技術に関しては、次のような問題点があった。
図１０に記載のものに関しては、内部断熱材とドレンパンとが、水平方向に延びる水平接合面のみで接合されるため、内部断熱材とドレンパンとを密着させることが容易であるため十分なシール効果を得ることできるが、吹出通風路を形成するドレンパンの側壁が薄くなり、強度的に弱いという問題があった。
【０００７】
一方、図１１に記載のものに関しては、内部断熱材とドレンパンとが、上下方向に延びる縦接合面を十分に密着させることが難しいため、十分なシール効果を得ることが困難であった。なお、特許文献２においては、内部断熱材とドレンパンとの接合に関して具体的な構成が記載されていないばかりか、この点に関し何らの配慮も示されていない。
【０００８】
本発明は、上記課題を解決するため、ドレンパンの強度確保、及び内部断熱材とドレンパンとによる良好なシール効果を得ることができる空気調和機を提供することを目的とする。
【課題を解決するための手段】
【０００９】
請求項１に記載の発明は、本体ケーシング内の上方部に配置される内部断熱材と、前記本体ケーシング内の下方部に配置されるドレンパンとを有する空気調和機において、前記内部断熱材の下端部には、前記本体ケーシング内の下方部の一部に配置されるとともに水平方向において前記ドレンパンの側面に対向する延長壁が形成され、前記ドレンパンには、前記水平方向において前記延長壁に嵌め合わせられる側壁が形成され、前記内部断熱材及び前記ドレンパンは、水平方向に延びて互いに接合される水平接合面を有し、前記内部断熱材の前記水平接合面と、前記ドレンパンの前記水平接合面とが接合されることにより、前記延長壁と前記ドレンパンとの間に通風路が形成され、前記内部断熱材の前記延長壁及び前記ドレンパンの前記側壁は、前記水平方向に垂直な上下方向に延びて互いに接合される縦接合面を有し、前記縦接合面は、それぞれ前記上下方向に対して傾斜するテーパ面により形成されることを特徴とする。
【００１０】
上記構成によれば、内部断熱材の水平接合面と、ドレンパンの水平接合面とが接合されることにより、上下方向において対向する内部断熱材の水平接合面とドレンパンの水平接合面との間がシールされ、また、内部断熱材の延長壁とドレンパンとにより通風路が形成される。従って、ドレンパンに貫通孔を形成して通風路を形成する必要がないため、ドレンパンの強度を確保することができる。また、内部断熱材及びドレンパンは、内部断熱材が有する延長壁及びドレンパンが有する側壁は、水平方向に垂直な上下方向に延びて互いに接合される縦接合面を有する。この縦接合面は、それぞれ上下方向に対して傾斜するテーパ面により形成される。このため、内部断熱材及びドレンパンの水平接合面を互いに接合させた状態で、内部断熱材及びドレンパンの縦接合面も互いに接合させることにより、内部断熱材の縦接合面とドレンパンの縦接合面との間がシールされ、内部断熱材とドレンパンとの密着性を向上させることができる。よって、ドレンパンの強度確保、及び内部断熱材とドレンパンとによる良好なシール効果を得ることができる。
【００１１】
請求項２に記載の発明は、請求項１に記載の空気調和機において、前記延長壁の前記縦接合面は、前記延長壁の壁厚み方向において部分的に形成されていることを特徴とする。
上記構成によれば、延長壁が有する縦接合面は、延長壁の壁厚み方向において部分的に形成されているため、延長壁及びドレンパンの縦接合面が互いに接合される部位を、内部断熱材の延長壁により覆うことができる。従って、縦接合面が互いに接合される部位を空気が通ることをより抑制することができる。
【００１２】
請求項３に記載の発明は、請求項１または２に記載の空気調和機において、前記ドレンパンの前記側壁は、前記通風路を形成する通風路形成壁として構成され、前記側壁の前記縦接合面は、前記側壁の壁厚み方向において部分的に形成されていることを特徴とする。
【００１３】
上記構成によれば、側壁が有する縦接合面は、通風路形成壁である側壁の壁厚み方向において部分的に形成されているため、延長壁及び側壁の縦接合面が互いに接合される部位を、ドレンパンの側壁により覆うことができる。従って、縦接合面が互いに接合される部位を空気が通ることを一層抑制することができる。
【発明の効果】
【００１４】
本発明によれば、内部断熱材の延長壁とドレンパンとにより通風路が形成されるため、ドレンパンに貫通孔を形成して通風路を形成する必要がなくなり、ドレンパンの強度を確保することができる。また、内部断熱材及びドレンパンの水平接合面を互いに接合させた状態で、内部断熱材及びドレンパンの縦接合面も互いに接合させることができ、内部断熱材とドレンパンとの密着性を向上させることができる。よって、ドレンパンの強度確保、及び内部断熱材とドレンパンとによる良好なシール効果を得ることができる。
【図面の簡単な説明】
【００１５】
【図１】本発明の実施形態に係る空気調和機について、製品本体及び化粧パネルを示す斜視図。
【図２】同空気調和機に係る製品本体内の機器配置を模式的に示す平断面図。
【図３】同空気調和機に係る製品本体内の機器配置を模式的に示す側断面図。
【図４】同空気調和機に係る製品本体が備える本体ケーシング及び内部断熱材及びドレンパンを示す斜視図。
【図５】同空気調和機に係る内部断熱材の要部を示す斜視図。
【図６】同空気調和機に係るドレンパンの要部を示す斜視図。
【図７】同空気調和機について、内部断熱材とドレンパンとを嵌め合わせる作業を説明するための図面であって、（ａ）は嵌め合わせ前の斜視図、（ｂ）は嵌め合わせ後の斜視図。
【図８】同空気調和機について、内部断熱材とドレンパンとが嵌め合わせられたときの状態を示す要部斜視図。
【図９】同空気調和機について、内部断熱材とドレンパンとが嵌め合わせられたときの状態を示す要部下面図。
【図１０】従来の空気調和機について、本体ケーシング、内部断熱材、及びドレンパンを示す斜視図。
【図１１】従来の他の空気調和機について、本体ケーシング、内部断熱材、及びドレンパンを示す斜視図。
【発明を実施するための形態】
【００１６】
以下、本発明を具体化した一実施形態について図面を参照しながら説明する。なお、各図において矢印で示す「上方」は、同一の方向である。同様に、各図において矢印で示す「下方」は、同一の方向である。
【００１７】
図１に示すように、本実施形態の天井埋込型空気調和機１（以下、単に空気調和機１という）は、空気調和を行う製品本体１０と、製品本体１０を下方から覆う化粧パネル２０とを備える。空気調和機１は、分離型空調機における２方向吹出式の室内ユニットを構成する。
【００１８】
製品本体１０は、直方体形状を有するものであって、天井材８の上方の空間である天井裏に取り付けられる。製品本体１０は、吊りボルト９１及びナット９２により建築構造部材（不図示）に吊り下げられる。製品本体１０は、下方に開口する本体ケーシング３０を備えている。本体ケーシング３０には、化粧パネル２０が固定される。
【００１９】
化粧パネル２０は、天井材８に形成された開口部８１を下方から覆うように、本体ケーシング３０の下方に取り付けられる。化粧パネル２０は、長方形状の四角枠２０Ａを形成する外側フレーム２１〜２４と、四角枠２０Ａ内に設けられる内側フレーム２５，２６と、四角枠２０Ａ内の空間を覆う下面パネル２７と、風向を調整する風向板２８Ａ，２８Ｂと、空気中の塵埃を捕捉するエアフィルタ２９とを備える。
【００２０】
図１に示すように、外側フレーム２１，２２は、長方形状の四角枠２０Ａの長辺を形成し、外側フレーム２３，２４は、長方形状の四角枠２０Ａの短辺を形成する。
内側フレーム２５は、外側フレーム２１との間に室内吹出口２０Ｂが形成されるように、四角枠２０Ａ内において外側フレーム２１と間隔を空けて平行に設けられている。室内吹出口２０Ｂには、風向を調整する風向板２８Ａが設けられる。
【００２１】
内側フレーム２６は、外側フレーム２２との間に室内吹出口２０Ｃが形成されるように、四角枠２０Ａ内において外側フレーム２２と間隔を空けて平行に設けられている。室内吹出口２０Ｃには、風向板２８Ａと異なる方向への風向を調整する風向板２８Ｂが設けられる。
【００２２】
下面パネル２７は、２つの内側フレーム２５，２６の間に設けられている。下面パネル２７は、各内側フレーム２５，２６との間に室内吸込口２０Ｄが形成されるように、内側フレーム２５，２６と間隔を空けて設けられている。
【００２３】
図２に示すように、製品本体１０は、本体ケーシング３０内に、２つの送風機１１と、室内側熱交換器１２と、分流器１３と、分流管１４と、冷媒出口管１５と、ヘッダー１６と、溝部５１に溜まったドレン水を製品本体１０の外部に排水する排出管１７と、仕切壁１８とを備える。なお、図２は、製品本体１０を上方から見たときの概略構成図であって、図２においては、本体ケーシング３０、仕切壁１８、及び内部断熱材４０を断面で図示している。
【００２４】
送風機１１は、上下方向に平行な回転軸を回転中心とし、回転中心から遠ざかる遠心方向に空気を送る遠心送風機である。送風機１１は、駆動モータ１１Ａと、羽根車１１Ｂとを備える。駆動モータ１１Ａは、本体ケーシング３０の天板３１（図３参照）に取り付けられている。駆動モータ１１Ａは、羽根車１１Ｂを矢印Ｒで示す方向に回転させる。ターボファンとして構成される送風機１１において、羽根車１１Ｂを構成する羽根１１Ｃは、後ろ向きに設けられている。２つの送風機１１の間には、仕切壁１８が設けられている。
【００２５】
室内側熱交換器１２は、２つの分岐熱交換器１２Ａ，１２Ｂにより構成されている。分岐熱交換器１２Ａ，１２Ｂは、送風機１１の遠心方向側、即ち吹出側に配置されている。分岐熱交換器１２Ａ，１２Ｂは、熱交換チューブに対してプレートフィンが取り付けられたプレートフィンコイルである。分岐熱交換器１２Ａは、上方から見て、製品本体１０が有する吹出通風路１０Ａと送風機１１との間に設けられる。分岐熱交換器１２Ｂは、上方から見て、製品本体１０が有する吹出通風路１０Ｂと送風機１１との間に設けられる。
【００２６】
分流器１３は、空気調和機１の冷房運転時、室外ユニット（不図示）から搬送されてくる液冷媒を分流する。分流管１４は、分流器１３で分流された冷媒を分岐熱交換器１２Ａ，１２Ｂが有する複数の冷媒通路に均等に分配する。また、冷媒出口管１５は、空気調和機１の冷房運転時、分岐熱交換器１２Ａ，１２Ｂから流出するガス冷媒をヘッダー１６に搬送する。ヘッダー１６は、冷媒出口管１５から搬送されてきた冷媒を集合させて室外ユニットに搬送する。なお、空気調和機１の暖房運転時、冷媒は冷房運転時の逆方向に搬送される。
【００２７】
また、図３に示すように、製品本体１０は、本体ケーシング３０内に、内部断熱材４０と、ドレンパン５０とを備えている。なお、図３は、空気調和機１を天井材８に据え付けた状態における概略構成図であって、図２中のＡ−Ａ線矢視図に相当する。
【００２８】
内部断熱材４０は、本体ケーシング３０の内面に設けられている。内部断熱材４０は、下方に開口しており、内部断熱材４０内には、下方の開口部分からドレンパン５０が嵌め込まれる。内部断熱材４０は、発泡ポリスチレンにより形成されている。内部断熱材４０とドレンパン５０とは、通風路である吹出通風路１０Ａ，１０Ｂを形成する。吹出通風路１０Ａは、上下方向において化粧パネル２０の室内吹出口２０Ｂに連通しており、吹出通風路１０Ｂは、上下方向において化粧パネル２０の室内吹出口２０Ｃに連通している。
【００２９】
ドレンパン５０は、室内側熱交換器１２の下方に設けられている。ドレンパン５０は、ドレン水を受ける溝部５１を有している。分岐熱交換器１２Ａ，１２Ｂの直下に配置される溝部５１は、ドレンパン５０を下方に窪ませて形成されている。ドレンパン５０には、吸込通風路１０Ｃが形成されている。吸込通風路１０Ｃは、ドレンパン５０を上下方向に貫通する円形状の貫通孔により構成されている。吸込通風路１０Ｃは、上下方向において化粧パネル２０の室内吸込口２０Ｄに連なっている。
【００３０】
図３を参照して、空気の流れを説明する。図３における白抜き矢印は、空気調和機１の運転時における空気の流れを示している。
空気調和機１が運転を開始すると、送風機１１の羽根車１１Ｂが回転して、室内の空気が、化粧パネル２０の室内吸込口２０Ｄ、エアフィルタ２９、及び製品本体１０の吸込通風路１０Ｃを通って、送風機１１に吸い込まれる。そして、送風機１１は、製品本体１０に吸い込んだ空気を、室内側熱交換器１２の分岐熱交換器１２Ａ，１２Ｂ、製品本体１０の吹出通風路１０Ａ，１０Ｂ、及び化粧パネル２０の室内吹出口２０Ｂ，２０Ｃを通して、室内へ空気を送る。
【００３１】
次に、図４〜６を参照して、本体ケーシング３０及び内部断熱材４０及びドレンパン５０の構成について、より詳しく説明する。
図４に示すように、本体ケーシング３０は、製品本体１０の上面を構成する天板３１と、天板３１から下垂するように設けられている側板３２〜３５とを備える。側板３２〜３５は、上方から見て長方形状の四角枠を構成する。側板３２，３３は、互いに間隔を空けて平行に設けられ、側板３４，３５に対して直交するように配置されている。側板３２，３３の一端は、側板３４に接続され、他端は、側板３５に接続されている。上方から見て、側板３２，３３は、長方形状の四角枠の長辺の側面を形成し、側板３４，３５は、四角枠の短辺の側面を形成する。
【００３２】
天板３１は、本体ケーシング３０の内面を構成する内面３１Ａを有する。側板３２は、本体ケーシング３０の内面を構成する上方部内面３２Ａと下方部内面３２Ｂとを有する。側板３３は、本体ケーシング３０の内面を構成する上方部内面３３Ａと下方部内面３３Ｂとを有する。側板３４は、本体ケーシング３０の内面を構成する上方部内面３４Ａと下方部内面３４Ｂとを有する。側板３５は、本体ケーシング３０の内面を構成する上方部内面３５Ａと下方部内面３５Ｂとを有する。内面３１Ａ及び上方部内面３２Ａ，３３Ａ，３４Ａ，３５Ａは、本体ケーシング３０内における本体ケーシング３０の上方部３０Ｕを構成する。下方部内面３２Ｂ，３３Ｂ，３４Ｂ，３５Ｂは、本体ケーシング３０内における本体ケーシング３０の下方部３０Ｄを構成する。
【００３３】
内部断熱材４０は、本体ケーシング３０内の上方部３０Ｕに配置される。内部断熱材４０は、側板３２の上方部内面３２Ａを覆う側壁４１と、側板３３の上方部内面３３Ａを覆う側壁４２と、側板３４の上方部内面３４Ａを覆う側壁４３と、側板３５の上方部内面３５Ａを覆う側壁４４と、側板３２の下方部内面３２Ｂを覆う延長壁４５と、側板３３の下方部内面３３Ｂを覆う延長壁４６とを有する。内部断熱材４０は、天板３１の内面３１Ａを覆うとともに、側壁４１〜４４により本体ケーシング３０の上方部内面３２Ａ〜３５Ａを覆う。
【００３４】
延長壁４５，４６は、内部断熱材４０の下端部を構成している。延長壁４５は、側壁４１から下方に延長するように構成され、延長壁４６は、側壁４２から下方に延長するように構成されている。延長壁４５，４６は、側壁４１〜４４よりも下方に向けて突出する。延長壁４５，４６は、下方部内面３２Ｂ〜３５Ｂのうち下方部内面３２Ｂ，３３Ｂを覆うことにより、本体ケーシング３０の下方部内面３２Ｂ〜３５Ｂを部分的に覆っている。従って、内部断熱材４０は、延長壁４５，４６により本体ケーシング３０の下方部内面３２Ｂ，３３Ｂを覆う。即ち、内部断熱材４０の延長壁４５，４６は、本体ケーシング３０内の下方部３０Ｄの一部である下方部内面３２Ｂ〜３５Ｂに配置される。
【００３５】
また、内部断熱材４０は、側壁４３の下端面からなる水平接合面４３Ａと、側壁４４の下端面からなる水平接合面４４Ａとを有する。また、延長壁４５は、水平方向に垂直な上下方向に延びる端面からなる縦接合面４５Ａを有し、延長壁４６も、同様に上下方向に延びる縦接合面４６Ａを有する。
【００３６】
ドレンパン５０は、本体ケーシング３０内の下方部３０Ｄに配置される。ドレンパン５０は、水平方向において間隔を空けて内部断熱材４０の延長壁４５と対向する側面５２と、水平方向において間隔を空けて内部断熱材４０の延長壁４６と対向する側面５３とを有する。ドレンパン５０は、本体ケーシング３０の下方部内面３４Ｂ，３５Ｂを覆う。また、ドレンパン５０は、ドレンパン５０の上端面からなる水平接合面５０Ａを有する。水平接合面５０Ａは、水平接合面４３Ａに接合される。なお、図示されていないが、ドレンパン５０は、水平接合面４４Ａに接合される水平接合面も有する。
【００３７】
ドレンパン５０には、水平方向において延長壁４５の端部内側に嵌め合わせられる側壁５４，５５と、水平方向において延長壁４６の端部内側に嵌め合わせられる側壁５６，５７とが形成されている。側壁５４は、上下方向に延びる縦接合面５４Ａを有し、側壁５６も、上下方向に延びる縦接合面５６Ａを有する。側壁５４，５５は、ドレンパン５０の長手方向における端部を、内部断熱材４０の延長壁４５に向けて水平に突出させて形成されている。側壁５６，５７は、ドレンパン５０の長手方向における端部を、内部断熱材４０の延長壁４６に向けて水平に突出させて形成されている。従って、側面５２，５３は、水平方向においてドレンパン５０の外形を窪ませた凹部を構成している。内部断熱材４０にドレンパン５０が嵌め込まれたとき、側壁５４，５５は吹出通風路１０Ａを形成する通風路形成壁として構成され、側壁５６，５７は吹出通風路１０Ｂを形成する通風路形成壁として構成される。
【００３８】
図５を参照して、内部断熱材４０が有する縦接合面４５Ａ，４６Ａをより詳しく説明する。図５に示すように、縦接合面４５Ａは、上下方向に対して傾斜するテーパ面により形成されている。テーパ面である縦接合面４５Ａは、延長壁４５の壁厚み方向において部分的に形成されている。延長壁４５の内面を構成する縦接合面４５Ａは、延長壁４５の壁厚み方向の内面側に形成されている。延長壁４５は、延長壁４５の外面を構成する外部壁４５Ｂを有する。外部壁４５Ｂは、延長壁４５の壁厚み方向の外面側に形成され、縦接合面４５Ａに連続している。外部壁４５Ｂは、延長壁４５の一部により構成されている。
【００３９】
縦接合面４６Ａは、縦接合面４５Ａと同様に構成されている。即ち、縦接合面４６Ａは、上下方向に対して傾斜するテーパ面により形成され、上下方向に対する縦接合面４６Ａの傾斜方向及び傾斜角度は、縦接合面４５Ａの傾斜方向及び傾斜角度と同じとなるように構成されている。縦接合面４６Ａは、延長壁４６の壁厚み方向において部分的に形成されている。延長壁４６の内面を構成する縦接合面４６Ａは、延長壁４６の壁厚み方向の内面側に形成されている。延長壁４６は、延長壁４６の外面を構成する外部壁４６Ｂを有する。外部壁４６Ｂは、延長壁４６の壁厚み方向の外面側に形成され、縦接合面４６Ａに連続している。外部壁４６Ｂは、延長壁４６の一部により構成されている。
【００４０】
図６を参照して、ドレンパン５０が有する縦接合面５４Ａ，５６Ａをより詳しく説明する。図６に示すように、縦接合面５４Ａは、上下方向に対して傾斜するテーパ面により形成されている。上下方向に対する縦接合面５４Ａの傾斜方向及び傾斜角度は、縦接合面４５Ａ，５４Ａが互いに接合するように、縦接合面４５Ａの傾斜方向及び傾斜角度と同じとなるように構成されている。テーパ面である縦接合面５４Ａは、側壁５４の壁厚み方向において部分的に形成されている。側壁５４の外面を構成する縦接合面５４Ａは、側壁５４の壁厚み方向の外面側に形成されている。側壁５４は、側壁５４の内面を構成する内部壁５４Ｂを有する。内部壁５４Ｂは、側壁５４の壁厚み方向の内面側に形成され、縦接合面５４Ａに連続している。内部壁５４Ｂは、側壁５４の一部により構成されている。
【００４１】
縦接合面５６Ａは、縦接合面５４Ａと同様に構成されている。即ち、縦接合面５６Ａは、上下方向に対して傾斜するテーパ面により形成され、上下方向に対する縦接合面５６Ａの傾斜方向及び傾斜角度は、縦接合面４６Ａ，５６Ａが互いに接合するように、縦接合面４６Ａの傾斜方向及び傾斜角度と同じとなるように構成されている。縦接合面５６Ａは、側壁５６の壁厚み方向において部分的に形成されている。側壁５６の外面を構成する縦接合面５６Ａは、側壁５６の壁厚み方向の外面側に形成されている。側壁５６は、側壁５６の内面を構成する内部壁５６Ｂを有する。内部壁５６Ｂは、側壁５６の壁厚み方向の内面側に形成され、縦接合面５６Ａに連続している。内部壁５６Ｂは、側壁５６の一部により構成されている。
【００４２】
以上のように構成された内部断熱材４０及びドレンパン５０の作用について述べる。
図７（ａ）に示すように、上下方向において、水平接合面４３Ａ，５０Ａが互いに対向し、かつ、縦接合面４５Ａ，５４Ａが互いに対向した状態で、ドレンパン５０を上方に持ち上げると、内部断熱材４０内にドレンパン５０が嵌まる。内部断熱材４０にドレンパン５０が嵌め込まれたときに、水平接合面４３Ａ，５０Ａが互いに接合される。
【００４３】
図７（ｂ）に示すように、内部断熱材４０にドレンパン５０が嵌め込まれたときに、ドレンパン５０の側壁５４は、水平方向において内部断熱材４０の延長壁４５の端部に嵌め合わせられる。このとき、縦接合面４５Ａ，５４Ａが互いに接合される。内部断熱材４０にドレンパン５０が嵌め込まれる前において水平接合面４３Ａ，５０Ａの位置合わせが十分でないときには、内部断熱材４０にドレンパン５０が嵌め込まれる際に、水平接合面４３Ａ，５０Ａが互いに当接するように、縦接合面４５Ａ，５４Ａが互いにスライドする。
【００４４】
図８に示すように、内部断熱材４０にドレンパン５０が嵌め込まれたとき、水平接合面４３Ａ，５０Ａが互いに接合され、かつ、縦接合面４５Ａ，５４Ａが互いに接合される。従って、この状態が維持されることにより、内部断熱材４０とドレンパン５０との隙間を通って製品本体１０の内部から外部へ熱エネルギーが移動することを抑制することができる。内部断熱材４０の水平接合面４３Ａと、ドレンパン５０の水平接合面５０Ａとが接合されることにより、延長壁４５とドレンパン５０との間に通風路１０Ａが形成される。なお、このとき、内部断熱材４０の水平接合面４３Ａと、ドレンパン５０の水平接合面５０Ａとが接合されることにより、延長壁４６（図４参照）とドレンパン５０との間に通風路１０Ｂ（図１参照）も形成される。また、内部断熱材４０の水平接合面４３Ａと、ドレンパン５０の水平接合面５０Ａとが接合されるとき、内部断熱材４０の水平接合面４４Ａ（図４参照）も、ドレンパン５０の水平接合面５０Ａと接合される。
【００４５】
また、図９に示すように、内部断熱材４０にドレンパン５０が嵌め込まれたときに、外部壁４５Ｂ及び内部壁５４Ｂは、水平方向において、縦接合面４５Ａ，５４Ａが互いに接合される部位を覆う。外部壁４５Ｂは、縦接合面４５Ａ，５４Ａが互いに接合される部位を、延長壁４５の壁厚み方向の外面側から覆う。内部壁５４Ｂは、縦接合面４５Ａ，５４Ａが互いに接合される部位を、側壁５４の壁厚み方向の内面側から覆う。従って、縦接合面４５Ａ，５４Ａが互いに接合される部位は、水平方向において、内部断熱材４０の外部壁４５Ｂとドレンパン５０の内部壁５４Ｂとで挟まれる。
【００４６】
また、縦接合面４６Ａ，５６Ａ（図５及び図６参照）も、縦接合面４５Ａ，５４Ａと同様に作用する。即ち、内部断熱材４０にドレンパン５０が嵌め込まれたときに、ドレンパン５０の側壁５６は、水平方向において内部断熱材４０の延長壁４６に嵌め合わせられる。このとき、縦接合面４６Ａ，５６Ａが互いに接合される。内部断熱材４０にドレンパン５０が嵌め込まれる前において水平接合面４３Ａ，５０Ａの位置合わせが十分でないときには、内部断熱材４０にドレンパン５０が嵌め込まれる際に、縦接合面４６Ａ，５６Ａが互いにスライドする。また、内部断熱材４０にドレンパン５０が嵌め込まれたとき、水平接合面４３Ａ，５０Ａが互いに接合され、かつ、縦接合面４６Ａ，５６Ａが互いに接合される。
【００４７】
また、外部壁４６Ｂ及び内部壁５６Ｂは、水平方向において、縦接合面４６Ａ，５６Ａが互いに接合される部位を覆う。外部壁４６Ｂは、縦接合面４６Ａ，５６Ａが互いに接合される部位を、延長壁４６の壁厚み方向の外面側から覆う。内部壁５６Ｂは、縦接合面４６Ａ，５６Ａが互いに接合される部位を、側壁５６の壁厚み方向の内面側から覆う。従って、縦接合面４６Ａ，５６Ａが互いに接合される部位は、内部断熱材４０の外部壁４６Ｂとドレンパン５０の内部壁５６Ｂとで挟まれる。
【００４８】
本実施形態に係る空気調和機１は、以上のように構成されているので、次のような効果を奏することができる。
（１）内部断熱材４０の水平接合面４３Ａ，４４Ａと、ドレンパン５０の水平接合面５０Ａとが接合されることにより、上下方向において対向する水平接合面４３Ａ，４４Ａと水平接合面５０Ａとの間がシールされ、また、内部断熱材４０の延長壁４５，４６とドレンパン５０とにより吹出通風路１０Ａが形成される。従って、ドレンパン５０に貫通孔を形成して通風路を形成する必要がないため、ドレンパン５０の強度を確保することができる。また、内部断熱材４０の延長壁４５及びドレンパン５０の側壁５４は、水平方向に垂直な上下方向に延びて互いに接合される縦接合面４５Ａ，５４Ａを有する。そして、縦接合面４５Ａ，５４Ａは、それぞれ上下方向に対して傾斜するテーパ面により形成される。このため、内部断熱材４０及びドレンパン５０の水平接合面４３Ａ，５０Ａを互いに接合させた状態で、内部断熱材４０及びドレンパン５０の縦接合面４５Ａ，５４Ａも互いに接合させることにより、縦接合面４５Ａと縦接合面５４Ａとの間がシールされ、内部断熱材４０とドレンパン５０との密着性を向上させることができる。よって、ドレンパン５０の強度確保、及び内部断熱材４０とドレンパン５０とによる良好なシール効果を得ることができる。
【００４９】
（２）内部断熱材４０の延長壁４６及びドレンパン５０の側壁５６は、水平方向に垂直な上下方向に延びて互いに接合される縦接合面４６Ａ，５６Ａを有し、縦接合面４６Ａ，５６Ａは、それぞれ上下方向に対して傾斜するテーパ面により形成される。このため、内部断熱材４０及びドレンパン５０の水平接合面４３Ａ，５０Ａを互いに接合させた状態で、内部断熱材４０及びドレンパン５０の縦接合面４６Ａ，５６Ａも互いに接合させることにより、縦接合面４６Ａと縦接合面５６Ａとの間がシールされ、内部断熱材４０とドレンパン５０との密着性をより向上させることができる。
【００５０】
（３）内部断熱材４０及びドレンパン５０の水平接合面４３Ａ，５０Ａを互いに接合させるときに、内部断熱材４０及びドレンパン５０の縦接合面４５Ａ，４６Ａ，５４Ａ，５６Ａを互いにスライドさせることにより、内部断熱材４０及びドレンパン５０の水平接合面４３Ａ，５０Ａを互いに接合させることが容易に行える。即ち、内部断熱材４０に対してドレンパン５０を突き合わせるときに、縦接合面４５Ａ，４６Ａ，５４Ａ，５６Ａがガイドの機能を発揮するため、組み付け作業が容易になる。
【００５１】
（４）縦接合面４５Ａは、延長壁４５の壁厚み方向において部分的に形成されているため、延長壁４５及びドレンパン５０の縦接合面４５Ａ，５４Ａが互いに接合される部位を、延長壁４５により覆うことができる。従って、縦接合面４５Ａ，５４Ａが互いに接合される部位を空気が通ることをより抑制することができる。また、同様に、縦接合面４６Ａは、延長壁４６の壁厚み方向において部分的に形成されているため、縦接合面４６Ａ，５６Ａが互いに接合される部位を延長壁４６により覆うことができ、縦接合面４６Ａ，５６Ａが互いに接合される部位を空気が通ることをより抑制することができる。
【００５２】
（５）側壁５４の縦接合面５４Ａは、側壁５４の壁厚み方向において部分的に形成されているため、延長壁４５及び側壁５４の縦接合面４５Ａ，５４Ａが互いに接合される部位を、側壁５４により覆うことができる。従って、縦接合面４５Ａ，５４Ａが互いに接合される部位を空気が通ることを一層抑制することができる。また、同様に、側壁５６の縦接合面５６Ａは、側壁５６の壁厚み方向において部分的に形成されているため、縦接合面４６Ａ，５６Ａが互いに接合される部位を側壁５６により覆うことができ、縦接合面４６Ａ，５６Ａが互いに接合される部位を空気が通ることを一層抑制することができる。
【００５３】
本発明は、上記実施形態に限定されるものではなく、例えば以下の変形例も適用可能であり、それらを本発明の範囲から除外するものではない。なお、以下の変形例について、異なる変形例を組み合わせてもよい。
【００５４】
・上記実施形態では、側壁５４，５６に形成される縦接合面５４Ａ，５６Ａは、側壁５４，５６の壁厚み方向において部分的に形成されているが、側壁５４，５６の壁厚み方向において全体的に、テーパ面である縦接合面が形成された構成を採用することもできる。
【００５５】
・上記実施形態では、延長壁４５，４６に形成される縦接合面４５Ａ，４６Ａは、延長壁４５，４６の壁厚み方向において部分的に形成されているが、延長壁４５，４６の壁厚み方向において全体的に、テーパ面である縦接合面が形成された構成を採用することもできる。
【００５６】
・上記実施形態では、延長壁４５，４６及び側壁５４，５６が、水平方向に垂直な上下方向に延びて互いに接合される縦接合面４５Ａ，４６Ａ，５４Ａ，５６Ａを有するが、これ以外の縦接合面を、内部断熱材の延長壁及びドレンパンの側壁が有する構成を採用することもできる。
【００５７】
・上記実施形態では、本発明に係る空気調和機は、天井に埋め込まれる天井埋込型空気調和機１であるが、例えば天井に吊下げられる天井吊下型空気調和機等の、他の空気調和とすることもできる。
【符号の説明】
【００５８】
１…天井埋込型空気調和機、１０…製品本体、１０Ａ，１０Ｂ…吹出通風路（通風路）、１０Ｃ…吸込通風路、２０…化粧パネル、３０…本体ケーシング、３０Ｕ…上方部、３０Ｄ…下方部、３１…天板、３１Ａ…内面、３２〜３５…側板、３２Ａ〜３５Ａ…上方部内面、３２Ｂ〜３５Ｂ…下方部内面、４０…内部断熱材、４１〜４４…側壁、４３Ａ，４４Ａ…水平接合面、４５，４６…延長壁、４５Ａ，４６Ａ…縦接合面、４５Ｂ，４６Ｂ…外部壁、５０…ドレンパン、５０Ａ…水平接合面、５１…溝部、５２，５３…側面、５４〜５７…側壁、５４Ａ，５６Ａ…縦接合面、５４Ｂ，５６Ｂ…内部壁、８…天井材、８１…開口部。
【図１】
0005617867.tif 000002
【図２】
0005617867.tif 000003
【図３】
0005617867.tif 000004
【図４】
0005617867.tif 000005
【図５】
0005617867.tif 000006
【図６】
0005617867.tif 000007
【図７】
0005617867.tif 000008
【図８】
0005617867.tif 000009
【図９】
0005617867.tif 000010
【図１０】
0005617867.tif 000011
【図１１】
0005617867.tif 000012